(57)【要約】【課題】カートの天板の上方に突出して備えられた機器を、非使用の場合に突出物とならない格納状態に、短時間で且つ安定に格納する突出物格納機構を備える医療用カートを提供すること。【解決手段】突端部に、回転角及び煽り角を任意に設定できる自在ジョイントを介し、医療に供される機器を取り付けた保持アーム３１と、医療用カートの天板３３に設けられるフレーム３４に固定され、前記保持アームの他端部に設けた軸穴３５を貫通する支持軸棒３６と、この支持軸棒３６を軸にして、回転する前記保持アーム３１を、垂直方向に立てた使用位置３１ａに設定する使用固定手段３２ａ、３２ｂと、前記支持軸棒３６を軸にして、前記天板の内側へ、水平方向に前記保持アームを回転、転倒した格納位置３１ｂに設定する格納固定手段とからなり、前記医療に供される機器を使用する場合に、前記保持アームを前記使用固定手段により使用位置３１ａにし、前記機器を使用しない場合には、前記格納固定手段により格納位置３１ｂにすることを特徴とする突出物格納機構を備える医療用カート。【選択図】  図２
2004290608.tif 000002
【特許請求の範囲】
【請求項１】
突端部に、回転角及び煽り角を任意に設定できる自在ジョイントを介し、医療に供される機器を取り付ける保持アームと、
医療用カートの天板に設けられるフレームに固定され、前記保持アームの他端部に設けた軸穴を貫通する支持軸棒と、
この支持軸棒を軸にして、回転する前記保持アームを、垂直方向に立てた使用位置に設定する使用固定手段と、
前記支持軸棒を軸にして、前記天板の内側へ、水平方向に前記保持アームを回転、転倒した格納位置に設定する格納固定手段とからなり、
前記医療に供される機器を使用する場合に、前記保持アームを前記使用固定手段により使用位置にし、前記機器を使用しない場合には、前記格納固定手段により格納位置にすることを特徴とする突出物格納機構を備える医療用カート。
【請求項２】
前記保持アームの他端部に設けた軸穴は、前記保持アームの中心軸に沿う長軸穴に形成され、
前記使用固定手段は、前記長軸穴の最上部付近を貫通する前記支持軸棒と、前記保持アームの下部が嵌入して、この支持軸棒の廻りの回転を阻止する凹所を形成するスタンドブロックとからなり、
前記格納固定手段は、前記保持アームが、引上げられ、前記スタンドブロックの嵌入から離脱し、前記長軸穴の最下部付近の前記支持軸棒を、回転軸にして天板の内側へ転倒し、支持軸棒の方向の水平に押し込まれて、前記長軸穴の端部に位置した前記支持軸棒と、前記凹所を備えるスタンドブロックの上面とからなることを特徴とする請求項１記載の突出物格納機構を備える医療用カート。
【請求項３】
前記保持アームの使用位置で、スタンドブロックに嵌入し、回転阻止する凹所に接し、且つ格納位置で水平に押し込まれて前記スタンドブロックの上面に接する、前記保持アームの下部の位置に半球の浅い凹所を１個設け、この凹所に対応するスタンドブロックの凹所と上面のそれぞれにバネ付きボタンを備えて、使用位置或いは格納位置の前記保持アームの逸脱を抑制することを特徴とする請求項２記載の突出物格納機構を備える医療用カート。
【請求項４】
フレームに固定され、前記保持アームに設けた軸穴を貫通する支持軸棒の一端にネジを設け、このネジに蝶形ナットを締め込んで、前記フレームの両側面板で前記保持アームを挟持して、保持アームが使用位置または格納位置から逸脱することを阻止することを特徴とする請求項１乃至３の何れかに記載の突出物格納機構を備える医療用カート。
【請求項５】
前記保持アームは四角柱で形成されて、前記支持軸棒が固定される前記フレームの両側面板の天板中心側寄り内面であって、前記支持軸棒から前記四角柱の保持アームの幅の半分の距離を隔て、且つ前記フレームの底面から同じく前記保持アームの幅に等しい高さの位置に、バネ付きボタンを対向して１対設けて、
前記使用固定手段は、前記フレームの両側面板の天板辺縁側で、前記支持軸棒から前記四角柱の保持アームの幅の半分の距離を隔て、前記両側板に接続する側板と、垂直に立てられた四角柱の保持アームの側面部に突出する前記１対のバネ付きボタンであり、
前記格納固定手段は、前記フレームの底面と、水平に倒された四角柱の保持アームの上側となった側面部に、突出する前記１対のバネ付きボタンでることを特徴とする請求項１記載の突出物格納機構を備える医療用カート。
【請求項６】
フレームに固定され、前記四角柱の保持アームに設けた軸穴を貫通する支持軸棒の一端にネジを設け、このネジに蝶形ナットを締め込んで、前記フレームの両側面板で前記保持アームを挟持して、保持アームが使用位置または格納位置から逸脱することを阻止することを特徴とする請求項５記載の突出物格納機構を備える医療用カート。
【請求項７】
前記保持アームの突端部に、回転角及び煽り角を任意に設定できる自在ジョイントを介し取り付けた機器は、患者データを収集、表示するタッチパネル式モバイルコンピュータであることを特徴とする請求項１乃至６の何れかに記載の突出物格納機構を備える医療用カート。
【請求項８】
前記保持アームの突端部に、回転角を任意に設定できる回転ジョイントを介し、赤外線送受信発光受光手段を備える赤外線信号送受信機器を取り付けたことを特徴とする請求項１乃至６の何れかに記載の突出物格納機構を備える医療用カート。
【発明の詳細な説明】
【０００１】
【発明の属する技術分野】
本発明は、医療現場で使用され、回診などの診療に供する機材または物品を搭載するカートで、特に搭載される機器が、カート上部の他の搭載物より高く設置されている医療用カートに関する。
【０００２】
【従来の技術】
医療現場における回診などに使用される従来の回診用カートは、病棟患者のカルテや投薬・処置のための薬剤・処置器具を満載して、これ等を運搬する台車的な用途で使用されていた。
【０００３】
最近では、複数の医療機器を搭載したり（例えば、特許文献１参照）、病院内の高度情報システム化により、病院内のデータセンターと通信する送受信機とモバイルコンピュータを搭載し、個々の患者データを読み出し、または書き込み追加を行ないつつ、それらのデータを基に患者に投薬や点滴などの治療処置を施すための薬剤、器具も搭載する医療用カートがある。
【０００４】
図６に示すように、例えば、データセンターと患者データを遣り取りするコンピュータ６１を搭載する医療用カート６２は、モバイルコンピュータ６１が、無線電波または赤外線によるＬＡＮ送受信機６３を介し、病院内のデータセンターに設置される電子カルテシステムサーバにアクセスして、既にサーバー内に記憶保存された患者データを読み出し、モバイルコンピュータの表示画面６４に表示する。
【０００５】
一方、患者の心電図、血圧、体温などバイタルサインデータをカートに搭載したモバイルコンピュータに接続される計測機器で収集、またはオフラインで計測し、再びＬＡＮ送受信機を介し電子カルテシステムサーバの当該患者のデータ記憶部に記録する。さらに、モバイルコンピュータの表示画面には、患者に処置する事項、例えば投薬薬剤名とその量、点滴処方、医療関係者に連絡を要する事項などを表示し、医師または看護師がこれを見て、処置、対応する。
【０００６】
医療用カートは、医師または看護師が、この医療用カートを伴なって病棟を巡回し、患者のベッドサイドまで移動させて、コンピュータを操作して使用するものである。
【０００７】
したがって、このモバイルコンピュータは、表示画面が見え易く、且つ操作し易いように、棚板上に搭載された機器や物品より高い位置、すなわちカートの最上の天板または天板枠の一部に固定された固定器具６５により保持される。また、ＬＡＮ送受信機の無線電波或いは赤外線の送受信部６４も、同じく棚板上に搭載された機器や物品が送受信を障害しない高さを確保するポール状固定器具６６の上部に取付けられる。
【０００８】
また、最近は、患者の装着する医用電子機器への影響を避けるために、病棟内の無線電波の使用を控え、赤外線などの直進性及び指向性のある光無線通信が多用されるので、送受信部６４の設置に付いては、医療用カートの使用される環境、すなわち病院設備や病棟の状況により対応している。
【０００９】
【特許文献１】
特開平１０−１３７１７３号公報
【００１０】
【発明が解決しようとする課題】
しかし、上に述べた従来の医療用カートには、固定器具に取付けられたコンピュータや、ポール状固定器具の上部に取付けられた送受信部などは、カート天板上に載せられた他の物に比べて突出した物となるため、搬送移動時や診療を終えた非使用時には、これ等の固定器具の分解による脱着を行って、コンピュータや送受信部の保護と、搭載物をまとめる医療用カートの全外形寸法の縮小を図っている。
【００１１】
これらの分解による着脱には、分解作業をする時間、分解した部材を移動中にばらけない様に纏めて固定する作業時間、さらに次の使用のために組立てる時間と多くの時間を要するという問題があった。
【００１２】
この発明は上記の問題点に鑑みてなされたもので、モバイルコンピュータの固定保持器具、送受信部のポール状固定保持器具のそれぞれを、突出直立させた使用状態、或いはこれ等が突出物とならない格納状態のそれぞれに、安定に固定あるいは収納する突出物格納機構を備える医療用カートを提供することを目的とする。
【００１３】
【課題を解決するための手段】
本発明の突出物格納機構を備える医療用カートは、突端部に、回転角及び煽り角を任意に設定できる自在ジョイントを介し、医療に供される機器を取り付ける保持アームと、医療用カートの天板に設けられるフレームに固定され、前記保持アームの他端部に設けた軸穴を貫通する支持軸棒と、この支持軸棒を軸にして、回転する前記保持アームを、垂直方向に立てた使用位置に設定する使用固定手段と、前記支持軸棒を軸にして、前記天板の内側へ、水平方向に前記保持アームを回転、転倒した格納位置に設定する格納固定手段とからなり、前記医療に供される機器を使用する場合に、前記保持アームを前記使用固定手段により使用位置にし、前記機器を使用しない場合には、前記格納固定手段により格納位置にすることを特徴とするものである。
【００１４】
さらに、本発明の突出物格納機構を備える医療用カートは、前記保持アームの他端部に設けた軸穴は、前記保持アームの中心軸に沿う長軸穴に形成され、前記使用固定手段は、前記長軸穴の最上部付近を貫通する前記支持軸棒と、前記保持アームの下部が嵌入して、この支持軸棒の廻りの回転を阻止する凹所を形成するスタンドブロックとからなり、前記格納固定手段は、前記保持アームが、引上げられ、前記スタンドブロックの嵌入から離脱し、前記長軸穴の最下部付近の前記支持軸棒を、回転軸にして天板の内側へ転倒し、支持軸棒の方向の水平に押し込まれて、前記長軸穴の端部に位置した前記支持軸棒と、前記凹所を備えるスタンドブロックの上面とからなることを特徴とするものである。
【００１５】
さらに、本発明の突出物格納機構を備える医療用カートは、前記保持アームの使用位置で、スタンドブロックに嵌入し、回転阻止する凹所に接し、且つ格納位置で水平に押し込まれて前記スタンドブロックの上面に接する、前記保持アームの下部の位置に半球の浅い凹所を１個設け、この凹所に対応するスタンドブロックの凹所と上面のそれぞれにバネ付きボタンを備えて、使用位置或いは格納位置の前記保持アームの逸脱を抑制することを特徴とするものである。
【００１６】
さらに、本発明の突出物格納機構を備える医療用カートは、フレームに固定され、前記保持アームに設けた軸穴を貫通する支持軸棒の一端にネジを設け、このネジに蝶形ナットを締め込んで、前記フレームの両側面板で前記保持アームを挟持して、保持アームが使用位置または格納位置から逸脱することを阻止することを特徴とするものである。
【００１７】
さらに、本発明の突出物格納機構を備える医療用カートは、前記保持アームは四角柱で形成されて、前記支持軸棒が固定される前記フレームの両側面板の天板中心側寄り内面であって、前記支持軸棒から前記四角柱の保持アームの幅の半分の距離を隔て、且つ前記フレームの底面から同じく前記保持アームの幅に等しい高さの位置に、バネ付きボタンを対向して１対設けて、前記使用固定手段は、前記フレームの両側面板の天板辺縁側で、前記支持軸棒から前記四角柱の保持アームの幅の半分の距離を隔て、前記両側板に接続する側板と、垂直に立てられた四角柱の保持アームの側面部に突出する前記１対のバネ付きボタンであり、前記格納固定手段は、前記フレームの底面と、水平に倒された四角柱の保持アームの上側となった側面部に、突出する前記１対のバネ付きボタンでることを特徴とするものである。
【００１８】
さらに、本発明の突出物格納機構を備える医療用カートは、前記保持アームの突端部に、回転角及び煽り角を任意に設定できる自在ジョイントを介し取り付けた機器は、患者データを収集、表示するタッチパネル式モバイルコンピュータであることを特徴とするものである。
【００１９】
さらに、本発明の突出物格納機構を備える医療用カートは、前記保持アームの突端部に、回転角を任意に設定できる回転ジョイントを介し、赤外線送受信発光受光手段を備える赤外線信号送受信機器を取り付けたことを特徴とするものである。
【００２０】
【発明の実施の形態】
以下、本発明の実施形態を図面により詳細に説明する。
【００２１】
図１は、本発明の突出物格納機構を備える医療用カートの一実施形態を示す概念図である。
【００２２】
本発明の突出物格納機構を備える医療用カートは、図１に示すように、走行車輪１１及び走行ハンドル１２などの走行手段を備えて、医療現場で使用されるカート１０であって、保持アーム１３あるいは保持ポール１４を保持または格納する突出物格納機構部１５ａ、１５ｂが、カート天板１６にそれぞれ設けられる。
【００２３】
この保持アーム１３の先端部分には、例えば、キーボードを表示パネルが兼ねるタッチパネル式モバイルコンピュータ１７のような、カート使用者が操作及び入力を行う機器が、回転、煽り角を任意に設定できる自在ジョイント１８を介して取付けられる。また、保持ポール１４の先端部分には、病院内ＬＡＮに接続するＬＡＮ端末と例えば赤外線通信を行なう赤外線送受信機１９と赤外線送受信発光受光手段（アンテナ）２１などのように操作を要しない機器が、自在に回転できる回転ジョイント２２を介して取付けられる。
【００２４】
医療用カートを患者のベッドサイドまで移動して、このカートに搭載した機器を使用したり、薬剤や注射などの処置をするカートの使用中の場合には、カート天板１６に搭載している心電計などの他の機器（図示せず）、或いは注射器や薬剤などの処置器材（図示せず）などにより、パネル画面の視野が遮られることのないように、またタッチパネルの操作性を上げるために、図１に示すように、装備されたタッチパネル式モバイルコンピュータ１７や赤外線送受信発光受光手段２１を、保持アーム１３或いは保持ポール１４により一段高く位置させる。
【００２５】
また、この医療用カート１０に搭載する前述のタッチパネル式モバイルコンピュータ１７、送受信機など機器１９、赤外線送受信発光受光手段２１の他に、心電図や血圧などの患者のバイタルサインデータを測定する機器のための直流電源、また、カートの電動駆動用の電源として、充電式電池２３を搭載する場合もある。なお、お互いの機器の間を繋ぐ信号用配線、及び機器への電力供給を行なう然るべき結線が行なわれているが、説明及び図示を省略する。
【００２６】
図２は、本発明の医療用カートに備える突出物格納機構部の構成示す概念図である。同図（ａ）は、突出物格納機構部の一実施形態を側方から見た構成図を示し、同図（ｂ）には、保持している機器の使用中の場合で、保持アームが立てられた位置の状態を、同図（ｃ）には、保持している機器がカート天板の上に格納される状態をそれぞれ正面から見た概念図をそれぞれ示す。
【００２７】
突出物格納機構部の本実施形態の構成は、図２（ａ）及び（ｂ）に示すように、高い位置に保持する機器が取付けられる保持アーム３１と、この保持アームを前後から挟み込み、医療用カートのカート天板３３にスタンド３２ａ、３２ｂと共に固定したフレーム３４と、一端をフレームに固定され、保持アーム３１の軸方向に設けた誘導長穴３５を貫通し、他端がもう一方のフレームに達している支持軸棒３６と、スタンド３２ａの上方で、スタンド３２ａの上面から保持アーム３１の幅または外径に同じ距離を隔てて、支持軸棒３６と平行になるように両端をフレームに固定した停止棒３７とからなる。
【００２８】
さらに、スタンド３２ａの上面、及びスタンド３２ｂの側面には、鋼球を背面からバネ体で突き出すボタンバネ３８ａ、３８ｂがそれぞれ備えられる。保持アーム３１の下部側面には、保持アーム３１ａが立てられた位置の状態で、スタンド３２ｂのボタンバネ３８ｂに嵌合するボタン凹部３９が設けられる。なお、図２（ｃ）に示すように、保持アーム３１ｂが格納状態になると、このボタン凹部３９は、スタンド３２ａのボタンバネ３８ａに嵌合するものであり、保持アーム３１ｂの格納位置がカート天板３３の内側になるように、スタンド３２ａに対しスタンド３２ｂはカート天板３３の中心寄りに位置させて設置する。
【００２９】
図３は、本発明の突出物格納機構部１５ｂの使用状態（同図（ａ））から格納状態（同図（ｄ））への遷移の過程を示す、フレーム３４の部分の図示を略した模式図であり、同図（ａ）は使用状態、同図（ｂ）は保持アーム３１を引上げてスタンド３２ａ及びスタンド３２ｂからの規制を外した状態、同図（ｃ）は保持アーム３１をカート天板と平行になる位置へ回転した状態、同図（ｄ）は格納状態のそれぞれを示す。
【００３０】
図３を用いて、本実施形態の作用及び動作を説明する。
【００３１】
図３（ａ）は、このように保持アーム３１を立てて、タッチパネル式モバイルコンピュータ（図３に図示なし）を使用状態の位置にした場合の突出物格納機構１５の状態を示す。この使用状態では、保持アーム３１の下部が、支持軸棒が貫通している保持アームの軸方向に沿う誘導長軸穴に案内されて、スタンド３２ａ及びスタンド３２ｂの間に嵌入されている。スタンド３２ａ及びスタンド３２ｂは、フレームと共に、カート天板に固定されており、保持アーム３１の最下部がフレーム底部に到達すると、スタンド３２ｂの側面に備えるボタンバネ３８ｂが、保持アーム３１の下部に備えるボタン凹部３９に押出されて、保持アーム３１ａが弱い力により上方４１に引抜かれることを規制する。
【００３２】
患者からの心電図や血圧値などのバイタルサインデータの収集、或いは注射や投薬の処置が終わり、長い距離の移動をする場合、或いはこの医療用カートの使用を中止する場合には、同図（ａ）に示す上下方向移動の矢印４１に示す方同に、保持アーム３１ａとこのアームに取付けられているモバイルコンピュータを共に、少し強く引上げて、ボタンバネ３８ｂによる規制を外し、図３（ｂ）に示すように、支持軸棒３６が誘導長穴３５の下端位置になるまで引上げる。
【００３３】
次に、同じく同図（ｂ）に示す回転移動の矢印４２の方向、すなわち停止棒３７と反対方向であるスタンド３２Ｂの側に、誘導長穴３５の下端位置にある支持軸棒３６を回転軸にして、９０度回転する。さらに、この９０度の回転で、同図（ｃ）に示す保持アーム３１の側面がスタンド３２ｂの上部に触れた位置で、貫通している支持軸棒３６を誘導長穴３５に沿わせ停止棒３７の方、すなわち、水平方向移動の矢印４３の方向に、保持アーム３１の誘導長穴３５より先端部を、保持アームの幅と同じ距離に設定される、停止棒３７とスタンド３２ａの上面との間に押し込む。
【００３４】
さらに、押し込まれて、スタンド３２ａの上部に備えるボタンバネ３８ａが、保持アーム３１ｂのボタン凹部３９に嵌まり込んだ位置で、ボタン凹部３９と共に保持アームを押し上げる。
【００３５】
スタンド３２ｂの側に回転したこの位置で、保持アーム３１とこれに取付けられたタッチパネル式コンピュータは、カート天板の内側で、上面に沿った低い格納状態となって、固定される。すなわち、停止棒３７の下側面とスタンド３２ａ及びスタンド３２ｂそれぞれの上面、並びに誘導長穴３５を貫通している支持軸棒３６により、上下方向の移動が規制され、水平左右方向の移動はフレームにより、水平方向の水平前後方向はボタンバネ３８ａとボタン凹部３９により、それぞれ規制されて格納状態で固定される。
【００３６】
次に、再びこの医療用カート１０を使用する場合には、上述の逆の手順で、保持アーム３１とタッチパネル式コンピュータを引き抜き、回転し、同図（ａ）に示す、スタンド３２ａ及びスタンド３２ｂの間に嵌入して、使用状態の位置に保持アームを戻して、タッチパネル式コンピュータを使用することができる。
【００３７】
上述の突出物格納機構１５の実施形態は、使用者が機能的には多様で複雑なモバイルコンピュータを操作するために、回転、煽り角を任意に設定できる自在ジョイントを介して保持アームの上端に取付けられて、保持アームを直立する使用状態３１ａと、カート天板の内側で、これに沿った格納状態３１ｂに選択的に固定できる突出物格納機構１５ａを例にしたが、この保持アーム１３を、先端に自在に回転できる回転ジョイントを介して、病院内ＬＡＮのＬＡＮ端末と無線電波通信または赤外線通信を行うための送受信機１９と、無線アンテナまたは赤外線送受信発光受光手段（アンテナ）２１が、取付けられた保持ポール１４と替えても、通信状態の信頼性を高めるために、周辺に障害物が無い状況とする、高い位置に設置されるアンテナ等の通信機材の突出物格納機構１５ｂを同様に得ることができる。
【００３８】
さらに、図２（ａ）に示すように、上述の一端をフレームに固定され、誘導長穴３５を貫通し、さらに他端がもう一方のフレームに達している支持軸棒３６の先端部にネジを設け、このネジに蝶形ナット３０が、前後のフレームで保持アーム１３（３１）或いは保持ポール１４を挟むように回し込まれる構成にする。
【００３９】
この支持軸棒３６のネジに蝶形ナット３０を回し込む構成の他の実施形態は、保持アーム１３（３１）或いは保持ポール１４が立てられた位置あるいは格納された位置にある場合に、この蝶形ナット３０が硬く締め込まれて、その位置での保持アーム１３（３１）或いは保持ポール１４の固定を強固にする。一方、立てられた位置から格納する位置へまたは格納された位置から立てる位置へ遷移する場合には、この蝶形ネジ３０を緩めて引抜き及び回転を潤滑に行なうことができる。
【００４０】
上述の実施形態では、医療用カートに搭載されて、操作または観察などが行われる機器の操作性を高めるため、または医療用カートの天板部に同じく搭載された器具や物品に障害されないようにこれ等を避けるため、アーム或いはポールなどの補助保持部材が使用されて、機器が取付ける医療用カートであって、保持部材を分解、着脱すること無く、引上げ、回転、押し込みの作業で、その機構部分をまとめたまま、カート天板の内側の格納位置に遷移することが出来る。また、格納位置に収納する場合も、使用状態と同様のボタンバネ、さらには蝶形ナットの固定機構により堅固に固定されて、取付けられた機器の保護も行なえる効果がある。
【００４１】
次に、図１に示す医療用カート１０に備える突出物格納機構１５ｂに保持ポール１４が取りつけられ、赤外線送受信機１９及び赤外線送受信発光受光手段（アンテナ）２１が、自由に回転する回転ジョイント２２を介して保持ポール１４の上部に取付けられる他の本実施形態を説明する。
【００４２】
図４は、本発明の医療用カートに備える突出物格納機構の他の実施形態の構成示す概念図である。図４（ａ）は、側方から見た構成を示す図、同図（ｂ）は、保持アームが立てられた位置、及び格納された位置を正面から見た概念図をそれぞれ示す。図５は、本実施形態の突出物格納機構の機器を取り付ける実施形態の構成を示す概念図。
【００４３】
本実施形態は、図５に示す病院内の無線ＬＡＮの送受信を行う赤外線送受信機１９及び赤外線送受信発光受光手段（アンテナ）２１などの送受信部２０が、回転を任意に設定できる回転ジョイント２２を介して取付けられる角柱の保持ポール４５と、この保持ポール４５を前後から挟み込み、医療用カート１０のカート天板１６に底面が固定されるフレーム４６と、一端がフレーム４６に固定され、前後のフレームの間に挟み込まれた保持ポール４５を貫通し、さらに他端がもう一方のフレームに達している回転軸ピン４７とからなる。
【００４４】
さらに、フレーム４６の保持ポール４５を挟み込むの前後のフレーム側面４６ａ、４６ｂには、鋼球を背面からバネ体で突き出すボタンバネ４８ａ、４８ｂを、一対それぞれ対向して設ける。なおこの１対のボタンバネ４８ａ、４８ｂは、その鋼球部４９ａ、４９ｂが、保持ポール４５が立てられている使用状態４５ａでは、保持ポール４５の回転する側の保持ポールの側面端辺部に突出し、保持ポール４５が回転軸ピン４７を軸に９０度回転した格納状態４５ｂの位置では、使用状態で突出していた側面端辺部の反対の側面端辺部に突出する、フレーム４６ａ、４６ｂの位置に設けらる。
【００４５】
また、保持ポール４５の回転を規制するフレーム４６の側板４６ｃがカート天板１６の辺縁に近い側に向かって置かれて、フレーム４６がカート天板１６に取付けられ、保持ポール４５はカート天板１６の内側に回転、格納される。
【００４６】
なお、図４（ｂ）に示すように、回転軸ピン４７が貫通している側の保持ポール４５の端部は、回転軸ピンが貫通する軸穴を中心とする半円筒面４５ｃを形成して、フレームの側板４６ｃ及び底部板４６ｄとの干渉を避ける。
【００４７】
本実施形態の作用及び動作を図４（ｂ）により説明する。
【００４８】
図４（ｂ）に示す保持ポール４５ａは、無線ＬＡＮの送受信部２０を使用状態の位置にした場合の突出物格納機構部１５ｂの保持ポール４５の状態を示し、保持ポール４５ｂは格納状態を示す。
【００４９】
使用状態では、保持ポール４５ａの両側面部分が、フレーム４６の側板４６ｃと１対のボタンバネ４８ａ、４８ｂの突出している鋼球部４９ａ、４９ｂのそれぞれにより規制されて、垂直に立てることができるので、これに取付けられた送受信部２０は、医療用カートの天板に搭載された機器や医療処置用品の上方に位置する。
【００５０】
次に、コンピュータの操作や患者への処置が終わり、データの送受信を行わない移動する場合、或いはこの医療用カートの使用が終了し、これ等を格納する場合には、保持ポール４５ａを矢印５０ａの方向に押すと、１対のボタンバネ４８ａ、４８ｂの突出している鋼球部４９ａ、４９ｂがバネの反撥を押し返して、保持ポール４５が回転軸ピン４７を軸に回転し、保持ポール４５の側面が、フレーム４６の底部板４６ｄに触れて、カート天板１６にほぼ平行となる格納位置の保持ポール４５ｂの状態まで倒す。
【００５１】
回転中に保持ポール４５の角柱の前後の面で、押し返されていた鋼球部４９ａ、４９ｂが、この格納位置の保持ポール４５ｂの状態になると、バネの反撥により再び突出して、側面の端辺部を規制するため、保持ポール４５ｂは底部板４６ｄからの規制とにより、格納状態の位置（保持ポール４５ｂの状態）に留まる。
【００５２】
この格納保持ポール４５ｂの状態位置になった、このポールの先端に取付けられている送受信部２０は、医療用カートの天板に沿う位置となって、医療用カートの搭載物を含む外形は、突出した物が無い形態となる。
【００５３】
次に、再び、保持ポール４５に取付けた送受信部２０を使用する場合には、格納した手順と逆に、格納位置の保持ポール４５ｂを取付けられている送受信部２０と共に、矢印５０ｂの方向に引き起こす。このとき、１対のボタンバネ４８ａ、４８ｂの突出している鋼球部４９ａ、４９ｂが、一時的にバネの反撥を押し返す。保持ポール４５が回転軸ピン４７を軸に回転し、保持アームの４５の側面が、フレーム４６の側板４６ｃに触れる位置まで起こされると、鋼球部４９ａ、４９ｂは、再び突出して、保持ポール４５ａの側面を、側板４６ｃと共に規制して、保持ポール４５ａが垂直に固定されて、送受信部２０の赤外線送受信機１９及び赤外線送受信発光受光手段（アンテナ）２１などが、高い位置に設置できる。
【００５４】
保持ポール４５ａが垂直に固定され、高い位置になった送受信部２０は、同じ医療用カートに搭載している、例えばモバイルコンピュータからのＬＡＮデータなどを、赤外線送受信機１９により赤外線通信変調信号に変換し、赤外線送受信発光受光手段（アンテナ）２１から、病棟の病室内または廊下に設けられた病院内ＬＡＮ信号送受信赤外線発光受光手段（図示なし）に向けて赤外線通信信号として放射する、または、病院内ＬＡＮ信号送受信赤外線発光受光手段（図示なし）から発信されるＬＡＮデータ信号を赤外線送受信発光受光手段（アンテナ）２１で受信する。
【００５５】
この送受信において、赤外線信号の混信の防止と送受信の信頼性を高めるために、赤外線送受信発光受光手段２１の赤外線放射・受光方向を調整するために、図５に示すように、送受信部２０が回転ジョイント２２を介して保持ポール４５の突端部に取り付けられるので、任意の方向に回転して設定ができる。また、送受信部２０の上部には、赤外線送受信信号の受信強度により点灯する発光素子からなる送受信表示手段１９ａを備えて、通信状態を確認して赤外線送受信発光受光手段２１の方向を設定する。
【００５６】
なお、本実施形態の他の実施形態として、図４（ｃ）に示すように、一端がフレーム４６ａに固定される回転軸ピン４７の他端にネジを設け、前後のフレーム４６ａ、４６ｂで保持ポール４５を挟むように、このネジに蝶形ナット５１を回し込む。立てられた位置の保持ポール４５ａ、または格納された位置の保持ポール４５ｂを、この蝶形ナット５１により硬く締め込み、その位置での固定を強固にする。一方、立てられた位置から格納する位置へまたは格納された位置から立てる位置へ遷移する場合には、この蝶形ネジ５１を緩めてそれぞれ方向への回転を潤滑に行なうことができる。
【００５７】
本実施形態では、立てられた位置の保持ポール４５ａ、或いは格納された位置の保持ポール４５ｂのそれぞれ側面端部を、フレーム４６に設けた１対のボタンバネ４８ａ、４８ｂの突出している鋼球部４９ａ、４９ｂが規制、固持するので、
この規制を外すための押し倒し、或いは引き起こしのいずれかの１動作で、格納位置或いは使用位置への遷移が行なえて、使用時に突出している機器または器具を、容易に格納状態にすることができ、分解、組立てなどの作業を必要としない突出物の収納ができる。
【００５８】
【発明の効果】
以上、説明したように本発明の突出物格納機構を備える医療用カートでは、カートに搭載して医療現場で使用される機器、例えば操作性や機能の安定性のために、カートの天板より高い位置に保持されているモバイルコンピュータや通信用アンテナなどのような突出して設置される機器の保持機構を、突出直立させた使用状態、或いはこれ等が突出物とならない格納状態のそれぞれに、着脱や分解の作業、また移動中にこれ等がばらけない様に纏める作業などを必要としない、極めて短時間で、且つ安定に固定、収納することが可能となる効果がある。
【図面の簡単な説明】
【図１】本発明の突出物格納機構を備える医療用カートの一実施形態の構成図。
【図２】本発明の一実施形態の突出物格納機構部の構成を示す概念図。
【図３】本発明の一実施形態の突出物格納機構部の動作を示す模式図。
【図４】本発明の他の実施形態の構成を示す概念図。
【図５】本発明の他の実施形態の突出物格納機構に取り付けられる送受信部を示す図。
【図６】従来の医療用カートを示す図。
【符号の説明】
１０・・・医療用カート、
１１・・・車輪、
１２・・・走行ハンドル、
１３、３１、４５・・・保持アーム、
１４・・・保持ポール、
１５ａ、１５ｂ・・・格納機構部、
１６、３３・・・カート天板、
１７・・・タッチパネル式モバイルコンピュータ、
１８・・・自在ジョイント、
１９・・・送受信機、
１９ａ・・・送受信表示手段、
１９ｂ・・・送信手段、
１９ｃ・・・受信手段、
２０・・・送受信部、
２１・・・赤外線送受信発光受光手段（アンテナ）、
２２・・・リングカップラ、
２３・・・充電電源、
３０、５１・・・蝶形ナット、
３１ａ・・・使用状態の保持アーム（保持ポール）、
３１ｂ・・・格納状態の保持アーム（保持ポール）、
３２ａ、３２ｂ・・・スタンド、
３４、４６・・・フレーム、
３５・・・誘導長穴、
３６・・・支持軸棒、
３７・・・停止棒、
３８ａ、３８ｂ、４８ａ、４８ｂ・・・ボタンバネ、
３９・・・ボタン凹部、
４１・・・引抜く方向、
４２・・・倒す回転方向、
４３・・・押す水平方向、
４５ａ・・・使用状態の保持アーム、
４５ｂ・・・格納状態の保持アーム、
４６ａ、４６ｂ・・・フレームの前後の面、
４６ｃ・・・フレームの側板、
４６ｄ・・・フレームの底部板、
４７・・・回転軸ピン、
４９ａ、４９ｂ・・・鋼球部、
５０ａ・・・格納状態にする保持アームの回転方向、
５０ｂ・・・使用状態に戻す保持アームの回転方向。
【図１】
2004290608.tif 000003
【図２】
2004290608.tif 000004
【図３】
2004290608.tif 000005
【図４】
2004290608.tif 000006
【図５】
2004290608.tif 000007
【図６】
2004290608.tif 000008